(57)【特許請求の範囲】
【請求項１】
１枚のシートに１ヶ月分または複数ヵ月分が印刷されているシート状カレンダーと；
上記シート状カレンダーを複数枚、収納するカレンダー収納部と；
上記カレンダー収納部をパソコンに取り付ける取付手段と；
を有し、上記カレンダー収納部は、パソコンの表示装置の上部に設置され、上記取付手段は、重りであり、上記重りの端部は、上記カレンダー収納部の背面部または底部に固着され、上記重りは、上記表示装置の上部と接し、また、上記重りは、上記カレンダー収納部を上記表示装置の上部に起立させておくことができる程度の重量を具備していることを特徴とするパソコン用カレンダー装置。
【請求項２】
請求項１において、
上記重りは、可撓性の重りであることを特徴とするパソコン用カレンダー装置。
【発明の詳細な説明】
【技術分野】
【０００１】
本発明は、パソコン用カレンダー装置に関する。
【背景技術】
【０００２】
従来、パソコンを使用して作業しているときに、カレンダーを見る必要が生じた場合、パソコンは通常、カレンダー機能を具備しているので、画面を切り替え、カレンダー機能を起動し、カレンダーを画面に表示し、予定とする日にちの曜日を見る（たとえば、特許文献１参照）（たとえば、特許文献１参照）。
【０００３】
または、パソコンを使用して作業しているときに、カレンダーを見る必要が生じた場合、何月の第何日曜日が何日である等を知り、この後に、元の画面に切り替え、今までの作業を続行する。
【０００４】
また、カレンダーを再び見る必要が生じれば、上記と同様に、カレンダー画面に切り替え、その後に、今までの画面に切り替え、作業を続行する。
【特許文献１】特開平２００１−２９６９４２号公報
【発明の開示】
【発明が解決しようとする課題】
【０００５】
つまり、従来例において、所定の作業中にカレンダーを見る必要が生じると、その都度、画面を切り換える必要があり、この画面切換作業が煩雑であるという問題がある。
【０００６】
一方、パソコンを使用する部屋の壁には、通常、壁掛けカレンダーが吊り下げられ、パソコン作業中に、カレンダーを見る必要が生じれば、パソコン画面から視線を、上記壁掛けカレンダーに移し、日にち、曜日等を確認した後に、パソコン画面に視線を戻し、作業を続行する。
【０００７】
この場合、作業中に、パソコン画面を切り換える必要はないが、上記壁掛けカレンダーが、パソコン作業者の真横の壁、後ろの壁等、パソコン作業者から見て、パソコン画面の方向と、壁に設置されている上記壁掛けカレンダーの方向とは、大きく異なることが多いので、この場合に、パソコン作業者は、壁掛けカレンダーを見るために、視線を大きくずらす必要があり、カレンダーを見る都度、上記視線移動することが煩雑であるという問題がある。
【０００８】
本発明は、パソコンの使用者が、現在見ている画面を切り換えずに、カレンダーを見ることができ、しかも、パソコンの使用者の視線を少しずらすだけでカレンダーを見ることができるパソコン用カレンダー装置を提供することを目的とするものである。
【課題を解決するための手段】
【０００９】
本発明は、１枚のシートに１ヶ月分または複数ヵ月分が印刷されているシート状カレンダーと、上記シート状カレンダーを複数枚、収納するカレンダー収納部と、上記カレンダー収納部をパソコンに取り付ける取付手段とを有し、上記カレンダー収納部は、パソコンの表示装置の上部に設置され、上記取付手段は、重りであり、上記重りの端部は、上記カレンダー収納部の背面部または底部に固着され、上記重りは、上記表示装置の上部と接し、また、上記重りは、上記カレンダー収納部を上記表示装置の上部に起立させておくことができる程度の重量を具備していることを特徴とするパソコン用カレンダー装置である。
【発明の効果】
【００１０】
本発明によれば、パソコンの使用者が、現在見ている画面を変化させずにカレンダーを見ることができ、しかも、パソコンの使用者の視線を少しずらすだけでカレンダーを見ることができるという効果を奏する。
【発明を実施するための最良の形態】
【００１１】
発明を実施するための最良の形態は、以下の実施例である。
【実施例１】
【００１２】
図１は、本発明の実施例１であるパソコン用カレンダー装置１００を示す分解斜視図である。
【００１３】
パソコン用カレンダー装置１００は、シート状カレンダーＣ１と、カレンダー収納部１０と、突起２０と、可撓性重り３０とを有する。
【００１４】
シート状カレンダーＣ１は、１枚または複数枚のシートで構成され、１枚のシートに、１ヶ月分または複数ヵ月分が印刷されているシート状カレンダーの例である。
【００１５】
カレンダー収納部１０は、シート状カレンダーを複数枚、収納するカレンダー収納部の例であり、その素材は、合成樹脂であり、透明であっても、透明でなくてもよい。また、カレンダー収納部１０は、背面部１１と、底部１２と、縁部１３とを有し、背面部１１と縁部１３とによって、対向部１４が形成され、この対向部１４に、シート状カレンダーＣ１が、挟まれた状態で、カレンダー収納部１０に収納される。
【００１６】
突起２０は、カレンダー収納部１０に可撓性重り３０を取り付けるためのものである。
【００１７】
可撓性重り３０は、カレンダー収納部１０をパソコンＰＣに取り付ける取付手段の例である。可撓性重り３０は、やや厚手の合成樹脂で構成され、シート状カレンダーＣ１よりも、重く、また、可撓性重り３０の重心が、シート状カレンダーＣ１とカレンダー収納部１０との重心よりも低く設定されている。
【００１８】
次に、パソコン用カレンダー装置１００をノートパソコンの表示装置ＤＰ１に取り付ける方法について説明する。
【００１９】
まず、カレンダー収納部１０にシート状のシート状カレンダーＣ１を複数枚、挿入し、ノートパソコンの表示装置ＤＰ１の頂部に、シート状カレンダーＣ１を縦にした状態で、載置する。この場合、カレンダー収納部１０の背面に、突起２０が固定され、この突起２０に可撓性重り３０の端部が固定されているので、突起２０を介して、可撓性重り３０がカレンダー収納部１０に固定されている。
【００２０】
したがって、パソコン用カレンダー装置１００をノートパソコンの表示装置ＤＰ１の上面（頂部）に載置すると、シート状カレンダーＣ１を含めたカレンダー収納部１０が起立した状態を維持する。
【００２１】
この場合、カレンダー収納部１０をパソコンの表示装置ＤＰ１に載置する際に、粘着剤等を使用する必要がないので、その設置が容易である。なお、パソコンを使用する環境では、強い風が生じること少なく、したがって、シート状カレンダーＣ１を含めたカレンダー収納部１０が起立した状態を維持することが容易である。
【００２２】
図２は、パソコン用カレンダー装置１００の側面図である。
【００２３】
図２に示すように、パソコン用カレンダー装置１００に使用されている可撓性重り３０は、ノートパソコンの表示装置ＤＰ１が薄い場合でも、その薄さに適合するように、形状を自在に変化させることができる。
【００２４】
図３は、パソコン用カレンダー装置１００を、卓上パソコンの表示装置ＤＰ２に載置した場合の側面図である。
【００２５】
パソコン用カレンダー装置１００を、卓上パソコンの表示装置ＤＰ２に載置した場合、卓上パソコンの表示装置ＤＰ２の奥行きが長いが、可撓性重り３０が、卓上パソコンの表示装置ＤＰ２の形状に合わせて、取り付けられるので、卓上パソコンの表示装置ＤＰ２の形状に、可撓性重り３０の形状が適応し、パソコン用カレンダー装置１００の取付安定性が高い。
【００２６】
つまり、パソコンの表示装置がどのような形状であっても、可撓性重り３０が充分に対応するので、パソコン用カレンダー装置１００の取付安定性が高い。
【００２７】
すなわち、パソコン用カレンダー装置１００によれば、パソコンの使用者が、現在見ている画面を変化させずにカレンダーを見ることができ、しかも、パソコンの使用者の視線を少しずらすだけでカレンダーを見ることができる。
【００２８】
また、可撓性重り３０の代わりに、やや厚手の合成樹脂板と、蝶番とを設けるようにしてもよい。上記蝶番は、カレンダー収納部１０の背面と上記やや厚手の合成樹脂板とを固着し、カレンダー収納部１０に対して、やや厚手の合成樹脂板を回動自在にするものである。なお、上記蝶番の代わりに、その部分だけ、可撓性の高い材質の樹脂を使用するようにしてもよい。
【００２９】
さらに、可撓性重り３０を、鉛で構成するようにしてもよく、また、合成樹脂のシートに、金属等、比較的比重の大きな材料を取り付けたものを使用するようにしてもよい。
【実施例２】
【００３０】
図４は、本発明の実施例２であるパソコン用カレンダー装置２００の斜視図である。
【００３１】
パソコン用カレンダー装置２００は、基本的には、パソコン用カレンダー装置１００と同じであり、可撓性重り３０がカレンダー収納部１０に直接固定されている点が、パソコン用カレンダー装置１００とは異なる。
【００３２】
つまり、パソコン用カレンダー装置２００は、シート状カレンダーＣ１と、カレンダー収納部１０と、接着剤２１と、可撓性重り３０とを有する。
【００３３】
接着剤２１は、液状接着剤でもよく、両面接着テープであってもよい。
【００３４】
なお、パソコン用カレンダー装置２００において、接着剤２１を、カレンダー収納部１０の、図４中、底部に設け、カレンダー収納部１０の底部に、可撓性重り３０の端部を固着するようにしてもよい。
【００３５】
パソコン用カレンダー装置２００によれば、パソコンの使用者が、現在見ている画面を変化させずにカレンダーを見ることができ、しかも、パソコンの使用者の視線を少しずらすだけでカレンダーを見ることができ、また、突起２０を使用しないので、パソコン用カレンダー装置１００よりも、その構造が簡素である。
【実施例３】
【００３６】
図５は、本発明の実施例３であるパソコン用カレンダー装置３００を示す図である。
【００３７】
図５（１）、（２）、（３）は、それぞれ、パソコン用カレンダー装置３００の正面図、平面図、右側面図である。
【００３８】
パソコン用カレンダー装置３００は、基本的には、パソコン用カレンダー装置２００と同じであるが、可撓性重り３０を使用せず、カレンダー収納部１０を、パソコンの表示装置ＤＰ１の前面（パソコン使用者がパソコン使用時にパソコンと対峙する面）に固着する点が、パソコン用カレンダー装置２００とは異なる。
【００３９】
つまり、パソコン用カレンダー装置３００は、シート状カレンダーＣ１と、カレンダー収納部１０と、両面テープ２２とを有する。両面テープ２２は、カレンダー収納部１０の背面に、その片面が固着されている。両面テープ２２の他面が、パソコンの表示装置ＤＰ１の前面と平行な面（表示面の周面）に貼り付けられる。
【００４０】
パソコン用カレンダー装置３００によれば、パソコンの使用者が、現在見ている画面を変化させずにカレンダーを見ることができ、しかも、パソコンの使用者の視線を少しずらすだけでカレンダーを見ることができ、また、突起２０も可撓性重り３０をも使用していないので、パソコン用カレンダー装置３００全体の構造が簡素である。
【実施例４】
【００４１】
図６は、本発明の実施例４であるパソコン用カレンダー装置４００を示す図である。
【００４２】
図６（１）は、パソコン用カレンダー装置４００の斜視図であり、図６（２）は、パソコン用カレンダー装置４００の側面図である。
【００４３】
パソコン用カレンダー装置４００は、基本的には、パソコン用カレンダー装置３００と同じであるが、カレンダー収納部１０を、ノートパソコンの表示装置ＤＰ１の前面と平行な面に貼り付けるのではなく、表示装置ＤＰ１の上面、側面に貼り付ける点が、パソコン用カレンダー装置３００とは異なる。
【００４４】
つまり、パソコン用カレンダー装置４００は、シート状カレンダーＣ１と、カレンダー収納部１０と、両面テープ２３とを有する。両面テープ２３は、カレンダー収納部１０の底面に、その片面が固着されている。両面テープ２３の他面が、パソコンの表示装置ＤＰ１の上面または側面（表示面の周面）に貼り付けられる。
【００４５】
パソコン用カレンダー装置４００によれば、パソコンの使用者が、現在見ている画面を変化させずにカレンダーを見ることができ、しかも、パソコンの使用者の視線を少しずらすだけでカレンダーを見ることができ、また、突起２０も可撓性重り３０も使用していないので、パソコン用カレンダー装置４００全体の構造が簡素である。
【００４６】
図７は、本発明の実施例４であるパソコン用カレンダー装置４００をディスクトップパソコンに取り付けた場合を示す斜視図である。
【００４７】
図７では、パソコン用カレンダー装置４００を、ディスクトップパソコンの表示装置ＤＰ２に取り付けた例と、ディスクトップパソコンのキーボードＫＢに取り付けた例とを示している。
【００４８】
なお、上記各実施例の他に、パソコンの表示装置の一部分を挟む把持手段を設け、この把持手段にパソコン用カレンダー収納部１０を設けるようにしてもよい。上記把持手段としては、クリップ、洗濯バサミ等が考えられる。
【００４９】
さらに、パソコンの表示装置の一部分（表示装置の周辺、上部、下部または側面）に、引っ掛けるフック等の引っ掛け手段を、上記カレンダー収納部１０に設けるようにしてもよい。
【図面の簡単な説明】
【００５０】
【図１】本発明の実施例１であるパソコン用カレンダー装置１００を示す分解斜視図である。
【図２】パソコン用カレンダー装置１００の側面図である。
【図３】パソコン用カレンダー装置１００を、卓上パソコンの表示装置ＤＰ２に載置した場合の側面図である。
【図４】本発明の実施例２であるパソコン用カレンダー装置２００を示す斜視図である。
【図５】本発明の実施例３であるパソコン用カレンダー装置３００の図である。
【図６】本発明の実施例４であるパソコン用カレンダー装置４００の図である。
【図７】本発明の実施例４であるパソコン用カレンダー装置４００をディスクトップパソコンに取り付けた場合を示す斜視図である。
【符号の説明】
【００５１】
１００、２００、３００、４００…パソコン用カレンダー装置、
１０…カレンダー収納部、
１１…背面部、
１２…底部、
１３…縁部、
２０…突起、
２１…接着剤、
２２、２３…両面テープ、
３０…可撓性重り、
ＤＰ１…ノートパソコンの表示装置、
ＤＰ２…ディスクトップパソコンの表示装置、
ＫＢ…キーボード。
【図１】
0004697865.tif 000002
【図２】
0004697865.tif 000003
【図３】
0004697865.tif 000004
【図４】
0004697865.tif 000005
【図５】
0004697865.tif 000006
【図６】
0004697865.tif 000007
【図７】
0004697865.tif 000008